(57)【要約】【課題】  インサートの取付位置の誤差を吸収できる吊金具を提供する。【解決手段】  天井スラブ下面２０に固定手段１１を介して取り付けられるとともに、固定手段１１を中心として３６０°回動可能な金具本体２と、金具本体２に取り付けられるとともに、金具本体２の回動中心に接近及び離間する方向に移動可能なネジ締結体１５とを備え、ネジ締結体１５に前記機器を取り付ける。金具本体２を固定手段１１を中心として回動させるとともに、ネジ締結体１５を金具本体２の回動中心に接近及び離間する方向へ移動させることにより、ネジ締結体１５を所望の位置に位置決めすることができる。【選択図】  図１
2009156342.tif 000002
【特許請求の範囲】
【請求項１】
建物の天井スラブ下面に機器を吊設するための吊金具であって、
前記天井スラブ下面に固定手段を介して取り付けられるとともに、該固定手段を中心として３６０°回動可能な金具本体と、該金具本体に取り付けられるとともに、該金具本体の回動中心に接近及び離間する方向に移動可能なネジ締結体とを備え、
該ネジ締結体に前記機器を取り付けることを特徴とする吊金具。
【請求項２】
前記金具本体は、前記天井スラブ下面に前記固定手段を介して取り付けられる基部と、該基部に一体に設けられるとともに、前記天井スラブ下面から下方に間隔をおいて配置され、かつ、前記ネジ締結体を前記金具本体の回動中心に接近及び離間する方向に移動可能に支持する長孔が設けられる取付部とを備えていることを特徴とする請求項１に記載の吊金具。
【請求項３】
前記ネジ締結体は、前記長孔を上下方向に挿通する吊ボルトと、該吊ボルトの前記取付部の上面側に突出する部分に螺着される吊ナットと、該吊ボルトの前記取付部の下面側に突出する部分に螺着される固定ナットとを備えていることを特徴とする請求項２に記載の吊金具。
【請求項４】
前記取付部の上面側には、前記吊ナットの前記取付部の上面側での回動を規制する、前記取付部の上面側に前記長孔を間に挟んで設けられる一対の係止部からなる規制手段が設けられていることを特徴とする請求項３に記載の吊金具。
【請求項５】
前記固定手段は、前記天井スラブ下面に埋設されるインサートと、前記基部を上下方向に貫通して前記インサートに螺着される固定ボルトと、該固定ボルトの前記基部の下面側に突出する部分に螺着される固定ナットとからなることを特徴とする請求項２から４の何れかに記載の吊金具。
【発明の詳細な説明】
【技術分野】
【０００１】
本発明は、吊金具に関し、特に、建物の天井スラブ下面に空調機等の機器を取り付けるのに有効な吊金具に関する。
【背景技術】
【０００２】
一般に、建物の天井スラブ下面に空調機等の機器を取り付ける場合、予め、機器の重量に応じたインサートを天井スラブ下面に取り付けておき、このインサートを利用して天井スラブ下面に吊ボルトを取り付け、この吊ボルトに機器を吊り下げることにより、機器を天井スラブ下面に取り付けている。
【０００３】
ところで、インサートの取付位置に誤差が生じた場合、その誤差に応じて吊ボルトの取付位置を調整する必要があるが、吊ボルトの取付位置を調整することは困難であるため、天井スラブ下面に新たにアンカーボルトを打設する必要があり、その作業に手間がかかる。
【０００４】
また、天井スラブ下面に機器を取り付ける作業は、天井の仕上工事の前に行う必要があるが、機器の取付位置と天井下地取付位置とに施工誤差が生じた場合、その施工誤差を吸収する手段がないため、取付位置の精度が要求される機器には対応しきれないことがある。
【０００５】
一方、特許文献１には、吊金具を受ける受け金物に関する発明が記載されている。この受け金物は、座金部に、吊金具を螺合させる高ナット部と、アンカーボルトを挿通させるアンカーボルト挿通用長孔とを設けたものであって、座金部を床パネルの土台底面に固定し、高ナット部を土台の高ナット埋め込み孔に挿入した際に、アンカーボルト挿通用長孔が土台のアンカーボルト挿通孔に重なることが可能なように、アンカーボルト挿通用長孔を十分に長く形成したものである。
【０００６】
このような構成の受け金物は、座金部のアンカーボルト挿通用長孔を十分に長く形成してあるので、土台の高ナット埋め込み孔とアンカーボルト挿通孔との間の距離に加工上の誤差が生じても、その誤差を十分に長く形成した座金部のアンカーボルト挿通用長孔で吸収することができ、土台側のアンカーボルト挿通孔と座金部のアンカーボルト挿通用長孔とを確実に重ね合わせることができるものである。
【特許文献１】特開平６−８８４３０号公報
【発明の開示】
【発明が解決しようとする課題】
【０００７】
しかし、上記のような構成の受金物の構成を前述したような空調機等の機器の建物の天井スラブ下面への取り付けに適用した場合、アンカーボルト挿通用長孔によりインサートの一方向への誤差しか吸収できないため、取付位置の精度が要求される機器の天井スラブ下面への取り付けには対応することができない。
【０００８】
本発明は、上記のような従来の問題に鑑みなされてものであって、空調機等の機器を天井スラブ下面に吊設する場合に、予め天井スラブ下面に取り付けられるインサートの取付位置に誤差が生じても、その誤差が何れの方向へのものあっても吸収することができる吊金具を提供することを目的とする。
【課題を解決するための手段】
【０００９】
上記のような課題を解決するために、本発明は、以下のような手段を採用している。
すなわち、請求項１に係る発明は、建物の天井スラブ下面に機器を吊設するための吊金具であって、前記天井スラブ下面に固定手段を介して取り付けられるとともに、該固定手段を中心として３６０°回動可能な金具本体と、該金具本体に取り付けられるとともに、該金具本体の回動中心に接近及び離間する方向に移動可能なネジ締結体とを備え、該ネジ締結体に前記機器を取り付けることを特徴とする。
【００１０】
本発明による吊金具によれば、金具本体を固定手段を中心として回動させるとともに、金具本体に取り付けられるネジ締結体を金具本体の回動中心に接近及び離間する方向に移動させることにより、ネジ締結体を所望の位置に位置決めすることができ、このネジ締結体に機器を取り付けることができる。
また、金具本体を固定手段を中心として３６０°回動させることができるので、金具本体に取り付けられるネジ締結体の調整可能な位置の範囲を広げることができる。
【００１１】
請求項２に係る発明は、請求項１に記載の吊金具であって、前記金具本体は、前記天井スラブ下面に前記固定手段を介して取り付けられる基部と、該基部に一体に設けられるとともに、前記天井スラブ下面から下方に間隔をおいて配置され、かつ、前記ネジ締結体を前記金具本体の回動中心に接近及び離間する方向に移動可能に支持する長孔が設けられる取付部とを備えていることを特徴とする。
【００１２】
本発明による吊金具によれば、金具本体の基部及び取付部を固定手段を中心として回動させるとともに、取付部の長孔に沿ってネジ締結体を金具本体の回動中心に接近及び離間する方向に移動させることにより、ネジ締結体が所望の位置に位置決めされ、ネジ締結体に機器が取り付けられることになる。
【００１３】
請求項３に係る発明は、請求項２に記載の吊金具であって、前記ネジ締結体は、前記長孔を上下方向に挿通する吊ボルトと、該吊ボルトの前記取付部の上面側に突出する部分に螺着される吊ナットと、該吊ボルトの前記取付部の下面側に突出する部分に螺着される固定ナットとを備えていることを特徴とする。
【００１４】
本発明による吊金具によれば、固定ナットを緩めた状態で吊ボルトを長孔に沿って金具本体の回動中心に接近及び離間する方向に移動させることにより、吊ボルトが所望の位置に位置決めされ、その位置において固定ナットを締め付けることにより、その位置に吊ボルトを固定することができる。
【００１５】
請求項４に係る発明は、請求項３に記載の吊金具であって、前記取付部の上面側には、前記吊ナットの前記取付部の上面側での回動を規制する、前記取付部の上面側に前記長孔を間に挟んで設けられる一対の係止部からなる規制手段が設けられていることを特徴とする。
【００１６】
本発明による吊金具によれば、取付部の上面側の吊ナットに取付部の下面側から吊ボルトを螺着させる際に、吊ナットは、その周面の一部が取付部の上面側に設けられる規制手段の一対の係止部に係止されることによって取付部の上面側での回動が規制されるので、吊ナットに吊ボルトを容易に螺着させることができる。
【００１７】
請求項５に係る発明は、請求項２から４の何れかに記載の吊金具であって、前記固定手段は、前記天井スラブ下面に埋設されるインサートと、前記基部を上下方向に貫通して前記インサートに螺着される固定ボルトと、該固定ボルトの前記基部の下面側に突出する部分に螺着される固定ナットとからなることを特徴とする。
【００１８】
本発明による吊金具によれば、固定ボルトを金具本体の基部を上下方向に貫通させて天井スラブ下面のインサートに螺着させ、固定ボルトの基部の下面側に突出する部分に固定ナットを螺着させることにより、金具本体の基部が天井スラブ下面に取り付けられ、固定ナットを緩めることにより、固定ボルトを中心として金具本体の基部及び取付部が一体に回動可能となる。
【発明の効果】
【００１９】
以上、説明したように、本発明によれば、金具本体を固定手段を中心として３６０°回動可能に構成するとともに、金具本体に取り付けられるネジ締結体を金具本体の回動中心に接近及び離間する方向に移動可能に構成したので、建物の天井スラブ下面に取り付けたインサートの取付位置に誤差が生じても、その誤差に応じて金具本体を固定手段を中心として回動させるとともに、ネジ締結体を金具本体の回動中心に接近及び離間する方向に移動させることにより、ネジ締結体を所望の位置に位置決めすることができる。従って、インサートの取付位置に誤差が生じても、その誤差を金具本体の回動、及びネジ締結体の移動によって吸収できるので、新たにアンカーボルトを打設することなく、機器を天井スラブ下面に取り付けることができる。
また、インサートの取付位置の誤差によって機器の取付位置と天井下地位置とに施工誤差が生じても、その施工誤差を金具本体の回動、及びネジ締結体の移動によって吸収できるので、取付位置の精度が要求される機器にも十分に対応することが可能となり、新たにアンカーボルトを打設することなく、機器を天井スラブ下面に取り付けることができる。
【発明を実施するための最良の形態】
【００２０】
以下、図面を参照しながら本発明の実施の形態について説明する。
図１〜図５には、本発明による吊金具の一実施の形態が示されていて、図１は天井スラブ下面に取り付けた状態を示す斜視図、図２は図１のａ方向から見た説明図、図３は図１のｂ方向から見た説明図、図４は図１のｃ方向から見た説明図、図５は図１のｄ方向から見た説明図である。
【００２１】
すなわち、本実施の形態の吊金具１は、建物の天井スラブ下面２０に空調機等の機器２５を取り付けるのに有効なものであって、天井スラブ下面２０に回動可能に取り付けられる金具本体２と、金具本体２に取り付けられるとともに、金具本体２の回動中心に接近及び離間する方向に移動可能なネジ締結体１５とを備え、ネジ締結体１５に機器２５が取り付けられる。
【００２２】
金具本体２は、帯状の金属板を材料として、この金属板の２箇所を曲げ加工により屈曲させることによって段差状に形成したものであって、間隔をおいて互いに平行に配置される平板状の基部３及び取付部５と、基部３と取付部５とを一体に連結する平板状の連結部７とを備え、基部３が後述する固定手段１１を介して天井スラブ下面２０に取り付けられ、取付部５に後述するネジ締結体１５が取り付けられる。
【００２３】
金具本体２の基部３と取付部５とを間隔をおいて互いに平行をなすように構成することにより、図１に示すように、基部３を建物の天井スラブ下面２０に取り付けた際に、取付部５が天井スラブ下面２０から下方に間隔をおいた位置に配置される。金具本体２の基部３と取付部５との間は、取付部５の上面側に後述するネジ締結体１５の吊ナット１７を装着した際に、図２及び図４に示すように、吊ナット１７の上面と天井スラブ下面２０との間に僅かな隙間が形成されるように、間隔が設定されている。
【００２４】
なお、基部３と取付部５と連結部７とを別体に形成し、それらを一体に連結することにより、基部３と取付部５とが間隔をおいて互いに平行をなすように構成してもよい。また、基部３と連結部７とを一体に形成し、連結部７に取付部５を一体に連結することにより、基部３と取付部５とが間隔をおいて互いに平行をなすように構成してもよい。
【００２５】
基部３の中心部には、図２に示すように、基部３を厚み方向に貫通する貫通孔４が設けられ、この貫通孔４を利用して、基部３が後述する固定手段１１により建物の天井スラブ下面２０に取り付けられるとともに、固定手段１１を中心として３６０°回動可能に構成されている。
【００２６】
固定手段１１は、図１及び図２に示すように、機器の支持点に対応する建物の天井スラブ下面２０の部分に埋設されるインサート１２と、基部３の貫通孔４を挿通してインサート１２に螺着される固定ボルト１３と、基部３の下面側に突出する固定ボルト１３の部分に螺着される固定ナット１４とから構成されている。
【００２７】
固定手段１１の固定ナット１４を締め付けることにより、金具本体２の基部３が建物の天井スラブ下面２０に固定され、基部３に一体に設けられる取付部５が天井スラブ下面２０の所定の位置に位置決めされる。また、固定ナット１４を緩めることにより、金具本体２が建物の天井スラブ下面２０において固定手段１１を中心として３６０°回動可能となり、基部３に一体に設けられる取付部５の天井スラブ下面２０における位置を調整することが可能となる。
【００２８】
なお、固定ナット１４は、地震等による振動が建物に入力した際に、その振動によって緩みが生じるのを防止するために所謂ダブルナットに構成され、固定ナット１４の緩みによって金具本体２の基部３及び取付部５にガタが生じるのを防止している。
【００２９】
なお、図１２に示すように、基部３の下面側の幅方向の両端に一対の補強板８、８を一体に立設し、この補強板８、８によって基部３の強度を高めるように構成してもよい。この場合、一対の補強板８、８間の間隔は、固定ナット１４の対角距離よりも大きい寸法に設定し、固定ナット１４をレンチ等を用いて締め付け可能に構成する。
【００３０】
取付部５の中心部には、図１及び図３に示すように、取付部５を厚み方向に貫通する所定の幅、長さの長孔６が基部３の回動中心を通る直線の方向に延びるように設けられ、この長孔６を利用して取付部５に後述するネジ締結体１５が取付部５の長手方向（金具本体２の回動中心に接近及び離間する方向）に移動可能に取り付けられる。
【００３１】
ネジ締結体１５は、図１、図２及び図３に示すように、取付部５の長孔６を挿通する吊ボルト１６と、取付部５の上面側に突出する吊ボルト１６の部分に螺着される吊ナット１７と、取付部５の下面側に突出する吊ボルト１６の部分に螺着される固定ナット１８とから構成されている。
【００３２】
なお、固定ナット１８は、基部３と同様に、地震等の振動が建物に入力した際に、その振動によって緩みが生じるのを防止するために所謂ダブルナットに構成され、固定ナット１８の緩みによって吊ボルト１６にガタが生じるのを防止している。
【００３３】
ネジ締結体１５の固定ナット１８を締め付けることにより吊ボルト１６が取付部５に固定され、固定ナット１８を緩めることにより吊ボルト１６が取付部５の長手方向（金具本体２の回動中心に接近及び離間する方向）に移動可能となる。吊ボルト１６の固定ナット１８の下側の部分には機器２５が取り付けられ、この吊ボルト１６を介して機器２５が建物の天井スラブ下面２０に吊設される。
【００３４】
取付部５の上面側の幅方向の両端部には、図４及び図５に示すように、長孔６を幅方向の両側から挟むように一対の板状の係止部１０、１０が一体に立設され、この一対の係止部１０、１０によって吊ナット１７の取付部５の上面側での回動を規制する規制手段９が構成されている。規制手段９の係止部１０、１０は、後述するように吊ナット１７の回動を規制する機能を有するとともに、取付部５の強度を高める補強板としての機能も有している。
【００３５】
規制手段９の一対の係止部１０、１０間の間隔は、吊ナット１７を取付部５の上面側に配置した際に、吊ナット１７の二面幅よりも１ｍｍ程度大きくなる寸法に設定されている。これにより、図１中の右方向（矢印ｃ方向）から取付部５の上面側に吊ナット１７を容易に挿入することができるとともに、吊ナット１７に吊ボルト１６を螺着させる際に、吊ナット１７が取付部５の上面側で回動するのを規制でき、吊ナット１７に吊ボルト１６を容易に螺着させることができる。
【００３６】
本実施の形態においては、取付部５の上面側に一対の板状の係止部１０、１０を一体に立設することにより規制手段９を構成しているが、取付部５を厚く形成し、その上面側に溝加工を施すことにより、取付部５の長孔６を挟む一対の係止部１０、１０を形成するように構成してもよい。
【００３７】
次に、上記のように構成した本実施の形態の吊金具１の作用について、建物の天井スラブ下面２０に４点で支持される機器を図１、図６〜図１１を参照しながら説明する。
まず、予め、図６に示すように、機器の４つの支持点に対応して建物の天井スラブ下面２０の４箇所に固定手段１１のインサート（図示せず）を埋設しておき、図１に示すように、各インサートに固定ボルト１３をそれぞれ螺着させ、各固定ボルト１３を各金具本体２の基部３の貫通孔４内をそれぞれ挿通させ、各基部３の下面側に突出した各固定ボルト１３の部分にそれぞれ固定ナット１４を螺合させる。この場合、各金具本体２が各固定ボルト１３を中心として回動可能となるように、各固定ナット１４の締め付け状態を調整しておく。
【００３８】
次に、各金具本体２の取付部５の上面側に図１中の右方向（矢印ｃ方向）からネジ締結体１５の吊ナット１７をそれぞれ挿入し、各金具本体２の取付部５の下方から取付部５の上面側の各吊ナット１７にそれぞれ吊ボルト１６を螺合させる。この場合、各吊ナット１７は、その周面の一部が一対の係止部１０、１０に係止されることにより取付部５の上面側での回動が規制されるので、各吊ナット１７に吊ボルト１６を容易に螺着させることができる。
【００３９】
次に、各金具本体２の取付部５の下面側に突出している各吊ボルト１６の部分に固定ナット１８をそれぞれ螺合させる。この場合、各吊ボルト１６が取付部５の長手方向（金具本体２の回動中心に接近及び離間する方向）に移動可能となるように、各固定ナット１８の締め付け状態を調整しておく。
【００４０】
そして、各金具本体２を回動させるとともに、各金具本体２の取付部５に取り付けられている各吊ボルト１６を各金具本体２の回動中心に接近及び離間する方向に移動させ、各吊ボルト１６を機器の各支持点の位置に合わせ、その位置において各金具本体２の基部３を固定ナット１４を締め付けることにより天井スラブ下面２０に固定し、各吊ボルト１６を固定ナット１８を締め付けることにより取付部５に固定する。
【００４１】
そして、各吊金具２の各吊ボルト１６に機器の支持点をそれぞれ固定することにより、機器が４本の吊ボルト１６を介して天井スラブ下面２０に吊設される。
【００４２】
この場合、機器の各支持点において、各吊金具１の金具本体２を、基部３の固定ボルト１３を中心として左回り又は右回りに回動させるとともに、各吊ボルト１６を各金具本体２の回動中心に接近及び離間する方向に移動させることにより、各吊ボルト１６を図６中のＡ〜Ｅの位置に位置させることができる。従って、インサートの取付位置の誤差に応じて、各吊金具１の各吊ボルト１６の位置をＡ〜Ｅの位置に移動させることにより、各インサートの取付位置の誤差を吸収し、各吊金具１の各吊ボルト１６を機器の各支持点に合わせることができる。
【００４３】
ここで、図６中の左上の支持点について具体的に説明する。
インサートの取付位置の誤差に応じて、吊金具１の吊ボルト１６を図６中のＡの位置に移動させるには、図７に示すように、例えば、金具本体２を水平位置から左回りに約１５°回動させ、その位置において吊ボルト１６を金具本体２の取付部５の長孔６に沿って移動させて図６中のＡの位置に位置決めする。
【００４４】
また、吊金具１の吊ボルト１６を図６のＢの位置に移動させる場合には、図８に示すように、例えば、金具本体２を水平位置から右回りに約３５°回動させ、その位置において吊ボルト１６を金具本体２の取付部５の長孔６に沿って移動させて図６中のＢの位置に位置決めする。
【００４５】
さらに、吊金具１の吊ボルト１６を図６のＣの位置に移動させる場合には、図９に示すように、例えば、金具本体２を水平位置から右回りに約６５°回動させ、その位置において吊ボルト１６を金具本体２の取付部５の長孔６に沿って移動させて図６中のＣの位置に位置決めする。
【００４６】
さらに、吊金具１の吊ボルト１６を図６のＤの位置に移動させる場合には、図１０に示すように、例えば、金具本体２を水平位置から左回りに約８０°回動させ、その位置において吊ボルト１６を金具本体２の取付部５の長孔６に沿って移動させて図６中のＤの位置に位置決めする。
【００４７】
さらに、吊金具１の吊ボルト１６を図６のＥの位置に移動させる場合には、図１１に示すように、例えば、金具本体２を水平位置から右回りに約４５°回動させ、その位置において吊ボルト１６を金具本体２の取付部５の長孔６に沿って移動させて図６中のＥの位置に位置決めする。
【００４８】
上記のように各吊金具１の金具本体２を回動させるとともに、各吊ボルト１６を各金具本体２の取付部５の長孔６に沿って移動させて機器２５の各支持点の位置に合わせることにより、機器の４点を４本の吊ボルト１６を介して天井スラブ下面２０に吊設することができる。
【００４９】
上記のように構成した本実施の形態による吊金具１にあっては、インサート１２の天井スラブ下面２０への取付位置に誤差が生じても、その誤差に応じて吊金具１の金具本体２を固定手段１１の固定ボルト１３を中心として回動させ、吊ボルト１６を金具本体２の回動中心に接近及び離間する方向に移動させることにより、吊ボルト１６を機器２５の支持点に合わせることができる。
【００５０】
従って、インサート１２の取付位置に誤差が生じても、アンカーボルトを新たに天井スラブ下面２０に打設する必要はなく、機器２５の天井スラブ下面２０への取り付け作業を容易に行うことができる。
【００５１】
また、機器２５の取付位置と天井下地取付位置とに施工誤差が生じても、機器２５が取り付けられる各吊ボルト１６の位置を移動させることにより、その施工誤差を吸収できるので、取付位置の精度が要求される機器２５にも十分に対応することができる。
【００５２】
なお、前記の説明においては、４点で支持する機器２５を例にとって説明したが、３点以下、又は５点以上で支持する機器２５に適用してもよいものであり、その場合にも同様の作用効果を奏する。
【００５３】
また、前記の説明においては、取付部５の上面側に吊ナット１７を装着し、吊ナット１７に取付部５の下方から吊ボルト１６を螺着させたが、予め、吊ボルト１６に吊ナット１７を固着させるか、吊ボルト１６と吊ナット１７とを一体に形成しておき、この状態の吊ボルト１６を金具本体２を天井スラブ下面２０に取り付ける前に取付部５の長孔６内に挿入し、その後に基部３を天井スラブ下面２０に取り付けるように構成してもよい。このような構成とすることにより、取付部５の上面側に規制手段９を設ける必要がなくなる。
【００５４】
さらに、前記の説明においては、金具本体２を３６０°回動可能としたが、３６０°よりも狭い角度を回動可能としてもよい。
【図面の簡単な説明】
【００５５】
【図１】本発明による吊金具を天井スラブ下面に取り付けた状態を示す斜視図である。
【図２】図１のａ方向から見た説明図である。
【図３】図１のｂ方向から見た説明図である。
【図４】図１のｃ方向から見た説明図である。
【図５】図１のｄ方向から見た説明図である。
【図６】機器を４点で支持する場合の説明図である。
【図７】図６の左上の支持点において、吊ボルトをＡの位置に調整する場合の説明図である。
【図８】図６の左上の支持点において、吊ボルトＢの位置に調整する場合の説明図である。
【図９】図６の左上の支持点において、吊ボルトをＣの位置に調整する場合の説明図である。
【図１０】図６の左上の支持点において、吊ボルトをＤの位置に調整する場合の説明図である。
【図１１】図６の左上の支持点において、吊ボルトをＥの位置に調整する場合の説明図である。
【図１２】本発明による吊金具の変形例を示した斜視図である。
【符号の説明】
【００５６】
１  吊金具
２  金具本体
３  基部
４  貫通孔
５  取付部
６  長孔
７  連結部
８  補強板
９  規制手段
１０  係止部
１１  固定手段
１２  インサート
１３  固定ボルト
１４  固定ナット
１５  ネジ締結体
１６  吊ボルト
１７  吊ナット
１８  固定ナット
２０  天井スラブ下面
２５  機器
【図１】
2009156342.tif 000003
【図２】
2009156342.tif 000004
【図３】
2009156342.tif 000005
【図４】
2009156342.tif 000006
【図５】
2009156342.tif 000007
【図６】
2009156342.tif 000008
【図７】
2009156342.tif 000009
【図８】
2009156342.tif 000010
【図９】
2009156342.tif 000011
【図１０】
2009156342.tif 000012
【図１１】
2009156342.tif 000013
【図１２】
2009156342.tif 000014